(57)【要約】【課題】通信品質の確保と信号遅延の低減とを両立することが可能な中継装置を提供する。【解決手段】送信元から信号を受信する受信部と、前記受信部で受信された信号を増幅する増幅部と、前記増幅部で増幅された信号を送信先へ送信する送信部と、前記受信部で受信された信号を復調して得られたデータの誤り判定を行う判定部とを中継装置に設ける。【選択図】図１
2011109376.tif 000002
【特許請求の範囲】
【請求項１】
送信元から信号を受信する受信部と、
前記受信部で受信された信号を増幅する増幅部と、
前記増幅部で増幅された信号を送信先へ送信する送信部と、
前記受信部で受信された信号を復調して得られたデータの誤り判定を行う判定部と、
を備えることを特徴とする中継装置。
【請求項２】
前記判定部によって前記データに誤り有りと判定された場合に、前記送信元に対して再送要求を行う再送要求部を備えることを特徴とする請求項１記載の中継装置。
【請求項３】
前記再送要求の方式として、ＨＡＲＱ（Hybrid Automatic Repeat reQuest）を使用することを特徴とする請求項２記載の中継装置。
【請求項４】
前記送信元から信号を受信する度に前記判定部から得られる前記データを合成することで再送用の合成データを生成する合成データ生成部と、
前記送信先から再送要求があった場合に、前記送信元に対する再送要求が未遂であれば、前記合成データ生成部にて生成された合成データを変調することで再送信号を生成し、前記送信部を介して前記再送信号を前記送信先へ送信する再送応答部と、
を備えることを特徴とする請求項３記載の中継装置。
【請求項５】
前記再送応答部は、前記送信先から再送要求があった場合に、前記送信元に対する再送要求が既遂であれば、前記送信先からの再送要求を破棄することを特徴とする請求項４記載の中継装置。
【発明の詳細な説明】
【技術分野】
【０００１】
本発明は、中継装置に関する。
【背景技術】
【０００２】
周知のように、中継局とは、長距離通信を可能とするために通信装置間に設置された補助通信装置であり、その信号転送方式として、増幅転送法（ＡＦ）と復号転送法（ＤＦ）が存在する。ＡＦは、中継局において、送信元から受信した信号の増幅のみを行い、増幅後の信号を送信先へ転送する方式であり、信号遅延を最小限に抑えることができるが、送信元から中継局に到来する信号にエラーが生じていたとしても、それを検知できない状態で送信先に転送するという欠点がある。
【０００３】
これに対し、ＤＦは、中継局において、送信元から受信した信号を復号してデータを取り出し、当該データを再符号化して送信先へ転送する方式であり、中継局で信号エラーが検知されることで通信品質の信頼性は向上する（下記特許文献１参照）。
【先行技術文献】
【特許文献】
【０００４】
【特許文献１】特開２００８−１７８０７０号公報
【発明の概要】
【発明が解決しようとする課題】
【０００５】
しかしながら、上述したＤＦのような方式では、通信品質は十分に考慮されていたが、信号遅延は十分に考慮されていなかった。昨今の技術動向から、クラウドコンピューティングにおけるＴｈｉｎクライアント化が進むことが考えられ、端末において低遅延はレスポンスに関わる重要ファクタである。
【０００６】
本発明は、上述した事情に鑑みてなされたものであり、通信品質の確保と信号遅延の低減とを両立することが可能な中継装置を提供することを目的とする。
【課題を解決するための手段】
【０００７】
上記目的を達成するために、本発明に係る中継装置は、送信元から信号を受信する受信部と、前記受信部で受信された信号を増幅する増幅部と、前記増幅部で増幅された信号を送信先へ送信する送信部と、前記受信部で受信された信号を復調して得られたデータの誤り判定を行う判定部と、を備えることを特徴とする。
【０００８】
また、本発明に係る中継装置は、前記判定部によって前記データに誤り有りと判定された場合に、前記送信元に対して再送要求を行う再送要求部を備えることを特徴とする。
また、本発明に係る中継装置は、再送要求の方式として、ＨＡＲＱ（Hybrid Automatic Repeat reQuest）を使用することを特徴とする。
【０００９】
また、本発明に係る中継装置は、前記送信元から信号を受信する度に前記判定部から得られる前記データを合成することで再送用の合成データを生成する合成データ生成部と、前記送信先から再送要求があった場合に、前記送信元に対する再送要求が未遂であれば、前記合成データ生成部にて生成された合成データを変調することで再送信号を生成し、前記送信部を介して前記再送信号を前記送信先へ送信する再送応答部と、を備えることを特徴とする。
さらに、前記再送応答部は、前記送信先から再送要求があった場合に、前記送信元に対する再送要求が既遂であれば、前記送信先からの再送要求を破棄することを特徴とする。
【発明の効果】
【００１０】
本発明に係る中継装置によれば、増幅転送法（ＡＦ）と復号転送法（ＤＦ）とを併用するため、通信品質の確保と信号遅延の低減を両立することが可能となる。
【図面の簡単な説明】
【００１１】
【図１】本発明の一実施形態に係る中継局ＲＳ（中継装置）のブロック構成図である。
【図２】中継局ＲＳの中継動作を表すフローチャートである。
【図３】中継局ＲＳの中継動作を表すシーケンスチャートである。
【発明を実施するための形態】
【００１２】
以下、本発明の一実施形態について、図面を参照しながら説明する。なお、以下では、本発明に係る中継装置として、無線通信システムにおいて、基地局−端末間の無線通信を中継する中継局を例示して説明する。
【００１３】
図１は、本実施形態における中継局ＲＳのブロック構成図である。この図１に示すように、本実施形態における中継局ＲＳは、基地局ＢＳ−端末ＳＳ間の無線通信を中継するものであり、ＤＬ無線受信部１、ＤＬ電力増幅部２、ＤＬ無線送信部３、ＤＬ復調判定部４、ＤＬ再送要求部５、ＤＬ合成データ生成部６、ＤＬ再送応答部７、ＵＬ無線受信部１１、ＵＬ電力増幅部１２、ＵＬ無線送信部１３、ＵＬ復調判定部１４、ＵＬ再送要求部１５、ＵＬ合成データ生成部１６及びＵＬ再送応答部１７を備えている。
【００１４】
なお、基地局ＢＳが送信元、端末ＳＳが送信先である場合において、基地局ＢＳから端末ＳＳへ向かって形成される無線リンクをダウンリンク（ＤＬ）と呼び、また、端末ＳＳが送信元、基地局ＢＳが送信先である場合において、端末ＳＳから基地局ＢＳへ向かって形成される無線リンクをアップリンク（ＵＬ）と呼ぶ。すなわち、上述した各構成要素の内、名称の先頭に「ＤＬ」の文字が付された構成要素はダウンリンク側の中継動作を担い、名称の先頭に「ＵＬ」の文字が付された構成要素はアップリンク側の中継動作を担うものである。  
【００１５】
ＤＬ無線受信部１は、送信元である基地局ＢＳから受信したＤＬ無線信号を受信信号としてＤＬ電力増幅部２及びＤＬ復調判定部４へ出力する。ＤＬ電力増幅部２は、ＤＬ無線受信部１から入力される受信信号の電力増幅を行い、当該電力増幅後の受信信号をＤＬ無線送信部３へ出力する。ＤＬ無線送信部３は、ＤＬ電力増幅部２から入力される電力増幅後の受信信号をＤＬ無線信号として送信先である端末ＳＳへ送信する。
【００１６】
ＤＬ復調判定部４は、ＤＬ無線受信部１から入力される受信信号を復調することで、受信信号に含まれるデータを取得し、当該取得したデータのエラー判定（誤り判定）を行う。また、このＤＬ復調判定部４は、取得したデータをＤＬ合成データ生成部６へ出力する機能と、エラー判定結果をＤＬ再送要求部５に通知する機能と、取得したデータが基地局ＢＳからの再送要求データ（ＮＡＣＫデータ）であった場合に、その旨をＵＬ再送応答部１７に通知する機能とを有している。
【００１７】
ＤＬ再送要求部５は、ＤＬ復調判定部４から通知されるエラー判定結果に応じてＨＡＲＱ（Hybrid Automatic Repeat reQuest）による再送要求を行うものであり、具体的には、エラー有りとの判定結果が通知された場合に、再送要求データ（ＮＡＣＫデータ）を変調することで再送要求信号を生成し、当該生成した再送要求信号を後述のＵＬ無線送信部１３を介して基地局ＢＳへ送信する。また、このＤＬ再送要求部５は、基地局ＢＳに対して再送要求を行った場合、その旨をＤＬ再送応答部７に通知する機能を有している。
【００１８】
ＤＬ合成データ生成部６は、送信元である基地局ＢＳからＤＬ無線信号を受信する度にＤＬ復調判定部４から得られるデータを合成することでＨＡＲＱによる再送用の合成データを生成するものであり、ＤＬ加算部６ａ、ＤＬバッファ制御部６ｂ及びＤＬバッファ６ｃを備えている。ＤＬ加算部６ａは、ＤＬ復調判定部４から入力されるデータと、ＤＬバッファ６ｃに格納されている合成データとを加算して新たな合成データを生成し、当該新たな合成データをＤＬバッファ制御部６ｂに出力する。
【００１９】
ＤＬバッファ制御部６ｂは、ＤＬ加算部６ａから入力される合成データのＣＲＣ（Cyclic Redundancy Code）チェックを行い、ＯＫならば合成データをビットデータ化してＤＬバッファ６ｃに格納する一方、ＮＧならば合成データをＩＱベクトルデータ状態でＤＬバッファ６ｃに格納する。ＤＬバッファ６ｃは、ＤＬバッファ制御部６ｂによる制御の下、合成データを格納する一方、格納中の合成データをＤＬ加算部６ａへ出力したり、または、後述のＤＬ再送応答部７からの要求に応じて格納中の合成データをＤＬ再送要求部７へ出力する。
【００２０】
ＤＬ再送応答部７は、後述のＵＬ復調判定部１４から、送信先である端末ＳＳから再送要求データ（ＮＡＣＫデータ）を受信した旨の通知を受けた場合に、上記のＤＬ再送要求部５から基地局ＢＳに対して再送要求を行った旨の通知を受けていなければ（つまり、送信先から再送要求があった場合に、送信元に対する再送要求が未遂であれば）、ＤＬバッファ６ｃから取得した合成データを変調することで再送信号を生成し、当該生成した再送信号をＤＬ無線送信部３を介して端末ＳＳへ送信する（図３（ｃ）参照）。
【００２１】
また、このＤＬ再送応答部７は、後述のＵＬ復調判定部１４から、送信先である端末ＳＳから再送要求データ（ＮＡＣＫデータ）を受信した旨の通知を受けた場合に、既に上記のＤＬ再送要求部５から基地局ＢＳに対して再送要求を行った旨の通知を受けていれば（つまり、送信先から再送要求があった場合に、送信元に対する再送要求が既遂であれば）、送信先である端末ＳＳからの再送要求を破棄（換言すれば無視）する（図３（ｂ）参照）。
【００２２】
一方、ＵＬ無線受信部１１は、送信元である端末ＳＳから受信したＵＬ無線信号を受信信号としてＵＬ電力増幅部１２及びＵＬ復調判定部１４へ出力する。ＵＬ電力増幅部１２は、ＵＬ無線受信部１１から入力される受信信号の電力増幅を行い、当該電力増幅後の受信信号をＵＬ無線送信部１３へ出力する。ＵＬ無線送信部１３は、ＵＬ電力増幅部１２から入力される電力増幅後の受信信号をＵＬ無線信号として送信先である基地局ＢＳへ送信する。
【００２３】
ＵＬ復調判定部１４は、ＵＬ無線受信部１１から入力される受信信号を復調することで、受信信号に含まれるデータを取得し、当該取得したデータのエラー判定を行う。また、このＵＬ復調判定部１４は、取得したデータをＵＬ合成データ生成部１６へ出力する機能と、エラー判定結果をＵＬ再送要求部１５に通知する機能と、取得したデータが端末ＳＳからの再送要求データ（ＮＡＣＫデータ）であった場合に、その旨をＤＬ再送応答部７に通知する機能とを有している。
【００２４】
ＵＬ再送要求部１５は、ＵＬ復調判定部１４から通知されるエラー判定結果に応じてＨＡＲＱによる再送要求を行うものであり、具体的には、エラー有りとの判定結果が通知された場合に、再送要求データ（ＮＡＣＫデータ）を変調することで再送要求信号を生成し、当該生成した再送要求信号を上記のＤＬ無線送信部３を介して端末ＳＳへ送信する。また、このＵＬ再送要求部１５は、端末ＳＳに対して再送要求を行った場合、その旨をＵＬ再送応答部１７に通知する機能を有している。
【００２５】
ＵＬ合成データ生成部１６は、送信元である端末ＳＳからＵＬ無線信号を受信する度にＵＬ復調判定部１４から得られるデータを合成することでＨＡＲＱによる再送用の合成データを生成するものであり、ＵＬ加算部１６ａ、ＵＬバッファ制御部１６ｂ及びＵＬバッファ１６ｃを備えている。ＵＬ加算部１６ａは、ＵＬ復調判定部１４から入力されるデータと、ＵＬバッファ１６ｃに格納されている合成データとを加算して新たな合成データを生成し、当該新たな合成データをＵＬバッファ制御部１６ｂに出力する。
【００２６】
ＵＬバッファ制御部１６ｂは、ＵＬ加算部１６ａから入力される合成データのＣＲＣチェックを行い、ＯＫならば合成データをビットデータ化してＵＬバッファ１６ｃに格納する一方、ＮＧならば合成データをＩＱベクトルデータ状態でＵＬバッファ１６ｃに格納する。ＵＬバッファ１６ｃは、ＵＬバッファ制御部１６ｂによる制御の下、合成データを格納する一方、格納中の合成データをＵＬ加算部１６ａへ出力したり、または、後述のＵＬ再送応答部１７からの要求に応じて格納中の合成データをＵＬ再送要求部１７へ出力する。
【００２７】
ＵＬ再送応答部１７は、上記のＤＬ復調判定部４から、送信先である基地局ＢＳから再送要求データ（ＮＡＣＫデータ）を受信した旨の通知を受けた場合に、上記のＵＬ再送要求部１５から端末ＳＳに対して再送要求を行った旨の通知を受けていなければ、ＵＬバッファ１６ｃから取得した合成データを変調することで再送信号を生成し、当該生成した再送信号をＵＬ無線送信部１３を介して基地局ＢＳへ送信する。
【００２８】
また、このＵＬ再送応答部１７は、上記のＤＬ復調判定部４から、送信先である基地局ＢＳから再送要求データ（ＮＡＣＫデータ）を受信した旨の通知を受けた場合に、既に上記のＵＬ再送要求部１５から端末ＳＳに対して再送要求を行った旨の通知を受けていれば、送信先である基地局ＳＳからの再送要求を破棄する（無視する）。
【００２９】
次に、上記のように構成された中継局ＲＳの中継動作について詳細に説明する。
図２（ａ）は、ダウンリンク通信時における中継局ＲＳの中継動作を表す第１のフローチャートであり、図２（ｂ）は、同じくダウンリンク通信時における中継局ＲＳの中継動作を表す第２のフローチャートである。
【００３０】
まず、図２（ａ）を参照しながら説明する。この図２（ａ）に示すように、中継局ＲＳは、送信元である基地局ＢＳからＤＬ無線信号を受信すると（ステップＳ１）、その受信したＤＬ無線信号を増幅して送信先である端末ＳＳへ送信する（ステップＳ２）。これらステップＳ１及びＳ２は、ＤＬ無線受信部１、ＤＬ電力増幅部２及びＤＬ無線送信部３の機能によって実現される。
【００３１】
そして、中継局ＲＳは、端末ＳＳに対するＤＬ無線信号の送信に失敗したか否かを判断し（ステップＳ３）、「Ｎｏ」の場合、つまりＤＬ無線信号の送信に成功した場合、中継動作を終了する一方、「Ｙｅｓ」の場合、つまりＤＬ無線信号の送信に失敗した場合、図２（ｂ）のフローチャートへ移行する。ここで、ＤＬ無線信号の送信に失敗したか否かは、送信先である端末ＳＳから再送要求信号を受信したか否かによって判断することができる。
【００３２】
また、上記のステップＳ２及びＳ３と並行して、後述のステップＳ４〜Ｓ７が行われる。すなわち、中継局ＲＳは、ステップＳ１で基地局ＢＳからＤＬ無線信号を受信すると、その受信信号を復調して得られたデータのエラー判定を行う（ステップＳ４）。中継局ＲＳは、上記ステップＳ４で「エラー無し」と判定した場合、ＤＬバッファ６ｃ内の合成データを更新し（つまり、今回受信時に取得したデータとＤＬバッファ６ｃに格納中の合成データとを加算し、新たな合成データとしてＤＬバッファ６ｃに格納する）、その後、図２（ｂ）のフローチャートへ移行する（ステップＳ５）。
【００３３】
一方、中継局ＲＳは、上記ステップＳ４で「エラー有り」と判定した場合、再送要求信号を送信元である基地局ＢＳへ送信し（ステップＳ６）、さらに、ＤＬバッファ６ｃ内の合成データを更新した後、ステップＳ１に戻る（ステップＳ７）。
以上のようなステップＳ４〜Ｓ７は、ＤＬ復調判定部４、ＤＬ再送要求部５及びＤＬ合成データ生成部６の機能によって実現される。
【００３４】
続いて、図２（ｂ）を参照しながら説明する。この図２（ｂ）に示すように、中継局ＲＳは、送信先である端末ＳＳから再送要求信号を受信すると（ステップＳ１１）、送信元である基地局ＢＳに対して再送要求済みか否かを判断する（ステップＳ１２）。中継局ＲＳは、上記ステップＳ１２で「Ｎｏ」、つまり基地局ＢＳに対する再送要求は未遂であると判定した場合、ＤＬバッファ６ｃから取得した合成データを変調することで再送信号を生成し、当該生成した再送信号を端末ＳＳへ送信する（ステップＳ１３）。
【００３５】
そして、中継局ＲＳは、端末ＳＳに対するＤＬ無線信号（この場合、再送信号）の送信に失敗したか否かを判断し（ステップＳ１４）、「Ｎｏ」の場合、つまり再送信号の送信に成功した場合、中継動作を終了する一方、「Ｙｅｓ」の場合、つまり再送信号の送信に失敗した場合、ステップＳ１１に戻る。
【００３６】
一方、中継局ＲＳは、上記ステップＳ１２で「Ｙｅｓ」、つまり基地局ＢＳに対する再送要求は既遂であると判定した場合、送信先である端末ＳＳからの再送要求を破棄（無視）して、中継動作を終了する（ステップＳ１５）。
以上のようなステップＳ１１〜Ｓ１５は、ＵＬ無線受信部１１、ＵＬ復調判定部１４及びＤＬ再送応答部７の機能によって実現される。
【００３７】
図３（ａ）は、図２（ａ）のステップＳ１→Ｓ２→Ｓ３（「Ｎｏ」）の経路と、ステップＳ１→Ｓ４（「エラー無し」）→Ｓ５の経路とが並列実施された場合の中継動作をシーケンスチャートで表したものである。この場合、送信元である基地局ＢＳから送信されたＤＬ無線信号は、中継局ＲＳで増幅された後、送信先である端末ＳＳへ送信されるが、基地局ＢＳ−中継局ＲＳ間でエラーが発生しなかったため、中継局ＲＳにおいて再送用の合成データの更新のみが行われる。また、中継局ＲＳ−端末ＳＳ間でもエラーが発生しなかったため（端末ＳＳに対するＤＬ無線信号の送信に成功したため）、中継動作は成功裏に終了する。
【００３８】
図３（ｂ）は、図２（ａ）のステップＳ１→Ｓ２→Ｓ３（「Ｙｅｓ」）→図２（ｂ）のステップＳ１１→Ｓ１２（「Ｙｅｓ」）→Ｓ１５の経路と、図２（ａ）のステップＳ１→Ｓ４（「エラー有り」）→Ｓ６→Ｓ７の経路とが並列実施された場合の中継動作をシーケンスチャートで表したものである。この場合、送信元である基地局ＢＳから送信されたＤＬ無線信号は、中継局ＲＳで増幅された後、送信先である端末ＳＳへ送信されるが、基地局ＢＳ−中継局ＲＳ間でエラーが発生したため、中継局ＲＳから基地局ＢＳへ再送要求信号が送信される（再送用の合成データの更新も行われる）。一方、中継局ＲＳ−端末ＳＳ間でもエラーが発生するため、端末ＳＳから中継局ＲＳへ再送要求信号が送信されるが、基地局ＢＳに対して再送要求済みであるため、端末ＳＳからの再送要求は破棄される。
【００３９】
図３（ｃ）は、図２（ａ）のステップＳ１→Ｓ２→Ｓ３（「Ｙｅｓ」）→図２（ｂ）のステップＳ１１→Ｓ１２（「Ｎｏ」）→Ｓ１３の経路と、図２（ａ）のステップＳ１→Ｓ４（「エラー無し」）→Ｓ５の経路とが並列実施された場合の中継動作をシーケンスチャートで表したものである。この場合、送信元である基地局ＢＳから送信されたＤＬ無線信号は、中継局ＲＳで増幅された後、送信先である端末ＳＳへ送信されるが、基地局ＢＳ−中継局ＲＳ間でエラーが発生しなかったため、中継局ＲＳにおいて再送用の合成データの更新のみが行われる。一方、中継局ＲＳ−端末ＳＳ間でエラーが発生したため、端末ＳＳから中継局ＲＳへ再送要求信号が送信されるが、基地局ＢＳに対する再送要求が未遂であるため、中継局ＲＳから端末ＳＳへ再送信号（合成データを変調したもの）が送信される。
【００４０】
以上説明したように、本実施形態における中継局ＲＳは、基本的な信号転送方式として増幅転送法（ＡＦ）を採用しながらも、復号転送法（ＤＦ）も併用するハイブリッド中継局であり、これにより、通信品質の確保と信号遅延の低減を両立することが可能となる。
【００４１】
具体的には、無線リンクに問題がない場合はＡＦ機能のみで全く問題ないが、当然、無線リンクにおけるエラーを補償する必要があるため、ダウンリンク及びアップリンクについてもＡＦ機能による転送を行うと共に、ＤＦ機能による受信信号の復調及びデータのエラー判定も実施する。ここで、エラーが検知された場合には、中継局ＲＳから送信元に対する再送要求が行われ、その後、当然、ＡＦ転送を行った送信先から再送要求が上がってくるが、既に中継局ＲＳによって前倒しで送信元に対する再送要求を実施済みであるため、その分、再送信号が端末ＳＳに到達するまでの伝送遅延が短縮される。
【００４２】
また、中継局ＲＳ−端末ＳＳ（送信先）間でエラーが発生した場合には、中継局ＲＳから端末ＳＳへＨＡＲＱによる再送を直接行うことが可能であり、この再送でエラーフリーになれば送信元に対する再送要求を行う必要がなくなる。また、このＨＡＲＱにおける再送用の合成データを常に更新しておくことにより、ＨＡＲＱの補償精度を低遅延で補償させることができる。これにより、中間ノード、つまり中継局ＲＳを挟むことによる遅延を最小限に抑えられ、無線通信システムにおける遅延最適化を実現することが可能となる。
【００４３】
なお、本発明は上記実施形態に限定されず、以下のような変形例が挙げられる。
（１）上記実施形態では、中継局ＲＳの中継動作（図２及び図３）の説明において、送信元を基地局ＢＳとし、送信先を端末ＳＳとするダウンリンク通信時を想定したが、送信元を端末ＳＳとし、送信先を基地局ＢＳとするアップリンク通信時であっても同様な中継動作を行うことができる。
【００４４】
（２）上記実施形態では、再送要求方式としてＨＡＲＱを使用する場合を例示して説明したが、これに限らず、一般的に用いられるＡＲＱ、例えば、Ｓｔｏｐ−ａｎｄ−Ｗａｉｔ方式ＡＲＱや、Ｇｏ−Ｂａｃｋ−Ｎ方式ＡＲＱ等を使用しても良い。この場合、中継局ＲＳから送信先へ直接、再送を行うことができなくなるが、前倒しで送信元に対する再送要求は行えるため、伝送遅延が短縮されるという効果は維持できる。
【００４５】
（３）上記実施形態では、本発明に係る中継装置として、無線通信システムで用いられる中継局ＲＳを例示して説明したが、本発明に係る中継装置は、無線通信システムだけでなく、有線通信システムにも適用することが可能である。
【符号の説明】
【００４６】
ＲＳ…中継局（中継装置）、１…ＤＬ無線受信部（受信部）、２…ＤＬ電力増幅部（増幅部）、３…ＤＬ無線送信部（送信部）、４…ＤＬ復調判定部（判定部）、５…ＤＬ再送要求部（再送要求部）、６…ＤＬ合成データ生成部（合成データ生成部）、７…ＤＬ再送応答部（再送応答部）、１１…ＵＬ無線受信部（受信部）、１２…ＵＬ電力増幅部（電力増幅部）、１３…ＵＬ無線送信部（送信部）、１４…ＵＬ復調判定部（判定部）、１５…ＵＬ再送要求部（再送要求部）、１６…ＵＬ合成データ生成部（合成データ生成部）、１７…ＵＬ再送応答部（再送応答部）、ＢＳ…基地局、ＳＳ…端末
【図１】
2011109376.tif 000003
【図２】
2011109376.tif 000004
【図３】
2011109376.tif 000005